【事件の表示】
　特願２０１３−　５５９６４「画像処理装置および方法」拒絶査定不服審判事件〔平成２６年　２月　６日出願公開、特開２０１４−　２６６３８、請求項の数（５）〕について、次のとおり審決する。
【結　論】
　原査定を取り消す。
　本願の発明は、特許すべきものとする。
【理　由】
第１　手続の経緯
　本願は、平成２５年３月１９日の出願（国内優先権主張、平成２４年６月２２日（以下、「本件優先日」という。））であって、平成２８年８月２３日付けで拒絶理由通知がなされ、同年１０月３１日に意見書が提出されるとともに手続補正がなされ、平成２９年３月２８日付けで最後の拒絶理由通知がなされ、同年６月５日に意見書が提出されるとともに手続補正がなされたが、同年１１月２９日付けで、同年６月５日になされた手続補正についての補正の却下の決定がなされるとともに拒絶査定がなされ、これに対して平成３０年３月５日に拒絶査定不服審判の請求がなされると同時に手続補正がなされた。その後、当審により、平成３０年９月１３日付けで、同年３月５日になされた手続補正についての補正の却下の決定がなされるとともに最後の拒絶理由通知がなされ、同年１１月１６日に意見書が提出されるとともに手続補正がなされたものである。
第２　原査定の概要
　平成２９年１１月２９日付け拒絶査定（以下、「原査定」という。）の概要は次のとおりである（引用文献等については、下記の引用文献等一覧を参照。）。
　本願請求項１，５−７に係る発明は、引用文献Ａに記載された発明及び引用文献Ｂに記載された技術に基づいて、当業者が容易に発明をすることができたものであるから、特許法第２９条第２項の規定により特許を受けることができない。また、本願請求項２−４に係る発明は、引用文献Ａに記載された発明、引用文献Ｂに記載された技術及び引用文献Ｃに記載された技術に基づいて、当業者が容易に発明をすることができたものであるから、特許法第２９条第２項の規定により特許を受けることができない。
引用文献等一覧
Ａ．特開２０１０−２４３５８９号公報
Ｂ．特開２００６−２９５６４７号公報
Ｃ．特開２００８−１５８３８９号公報
第３　当審拒絶理由の概要
　平成３０年９月１３日付け拒絶理由（以下、「当審拒絶理由」という。）の概要は次のとおりである（引用文献等については、下記の引用文献等一覧を参照。）。
　１　平成２８年１０月３１日付け手続補正書でした補正は、願書に最初に添付した明細書、特許請求の範囲又は図面に記載した事項の範囲内においてしたものでないから、特許法第１７条の２第３項に規定する要件を満たしていない。
　２　本願の請求項１，２，５−７に係る発明は、その出願の日前の特許出願であって、その出願後に特開２０１２−１５９８２４号公報で出願公開がされた特願２０１１−２５００６２号（以下、「先願１」という。）の願書に最初に添付された明細書、特許請求の範囲又は図面に記載された発明と同一であり、しかも、本願の発明者が先願１に係る上記の発明をした者と同一ではなく、またこの出願の時において、その出願人が先願１の出願人と同一でもないので、特許法第２９条の２の規定により、特許を受けることができない。
　３　本願の請求項３に係る発明は、特開２０１２−１５９８２４号公報（以下、「引用文献１」という。）に記載されているから、特許法第２９条第１項第３号に該当し、特許を受けることができない。
引用文献等一覧
１．特願２０１１−２５００６２号（特開２０１２−１５９８２４号公報）
２．特開２０１０−２４３５８９号公報（周知技術を示す文献） 
第４　本願発明
　本願請求項１−５に係る発明（以下、それぞれ「本願発明１」−「本願発明５」という。）は、平成３０年１１月１６日付けの手続補正（以下、「本件補正」という。）で補正された特許請求の範囲の請求項１−５に記載された事項により特定される発明であり、本願発明１−５は以下のとおりの発明である。
　【請求項１】
「利用者を被写体として撮影して得られる複数の撮影画像の中から撮影画像を組み合わせる組み合わせ部と、
　前記組み合わせ部により組み合わされた撮影画像のうちの全身画像を、前記複数の撮影画像のうちの他の全身画像に変更して、撮影画像の組み合わせを変更する画像変更部と、
　前記画像変更部により組み合わせが変更された撮影画像を用いて、組み合わせ画像を生成する画像生成部と、
　前記画像生成部により生成された組み合わせ画像を提供する画像提供部と
　を備える画像処理装置。」
　【請求項２】
「前記撮影画像は、全身画像とアップ画像とが混在している
　請求項１に記載の画像処理装置。」
　【請求項３】
「前記組み合わせ部により組み合わされた撮影画像に対して所定情報を付加する情報付加部を
　さらに備え、
　前記画像生成部は、前記画像変更部により組み合わせが変更された撮影画像と前記情報付加部により付加された所定情報とを用いて、組み合わせ画像を生成する
　請求項１に記載の画像処理装置。」
　【請求項４】
「前記所定情報は、筐体名、地域名、および撮影日時の少なくとも１つである
　請求項３に記載の画像処理装置。」
　【請求項５】
「画像処理装置が、
　利用者を被写体として撮影して得られる複数の撮影画像の中から撮影画像を組み合わせる組み合わせステップと、
　前記組み合わせステップの処理により組み合わされた撮影画像のうちの全身画像を、前記複数の撮影画像のうちの他の全身画像に変更して、撮影画像の組み合わせを変更する画像変更ステップと、
　前記画像変更ステップの処理により組み合わせが変更された撮影画像を用いて、組み合わせ画像を生成する画像生成ステップと、
　前記画像生成ステップの処理により生成された組み合わせ画像を提供する画像提供ステップと
　を含む画像処理方法。」
第５　先願１
　１　先願１は、本件優先日前の平成２３年１１月１５日の出願であって、本件優先日後の平成２４年８月２３日に出願公開（特開２０１２−１５９８２４号公報）がされたものであって、その願書に最初に添付された明細書、特許請求の範囲又は図面（以下、「先願明細書等」という。）には、次の記載がある（下線は当審で付した。）。 
　（１）　「【００４２】 
　
カメラ１０はプレイヤを被写体として撮影する
カメラ１０は被写体のアップを撮影することができ、被写体の全身を撮影することもできる。
　（２）　「【０１００】 
　ＣＰＵ１０３は、
カメラ１０で被写体となるプレイヤを複数回撮影して通常写真画像６５０を生成する。
　（３）　「【０２０９】 
　プレイヤにより「送信希望ボタン」が選択されたとき、ＣＰＵ１０３は、プレイヤが携帯端末への合成画像の送信を希望したと判断する（Ｓ３４０６でＹＥＳ）。この場合、ＣＰＵ１０３はまず、編集処理において作製された複数の合成画像（通常合成画像ＣＩ及びコラージュ合成画像８１０）又は通常写真画像６５０のうち、携帯端末に転送する合成画像の選択を受け付ける（Ｓ３４０７）。このとき、
コラージュ合成画像８１０が選択されてもよい
　（４）　「【０２１０】 
　携帯端末に転送する合成画像を受け付けた後（Ｓ３４０７）、ＣＰＵ１０３は、合成画像の送信方法を受け付ける（Ｓ３４０８）。具体的には、ＣＰＵ１０３は、プレイヤの携帯端末が非接触通信可能な機種か否かを問う表示画面をディスプレイ９５に表示する。非接触通信はたとえば、Ｆｅｌｉｃａ（登録商標）や、Ｂｌｕｅｔｏｏｔｈ（登録商標）である。写真撮影遊戯機１は、非接触通信装置９７（図１０参照）を備える。プレイヤの携帯端末が非接触通信可能な機種であるとプレイヤが回答した場合（Ｓ３４０８でＹＥＳ）、
写真撮影遊戯機１は、非接触通信装置を介してプレイヤの携帯端末に、ステップＳ３４０７で選択された合成画像を送信する
　（５）　「【０２２６】
　
本実施の形態による写真撮影遊戯機は、第１の実施の形態による写真撮影遊戯機と比較して、図３０に代えて、図４７に示す通常写真画像配置変換処理（Ｓ２４２）を実施する。その他の構成及び動作は第１の実施の形態と同じである。
　（６）　「【０２３０】 
　コラージュ合成画像８１０のレイアウト画像８３０の配置領域８０２には、写真画像８２０が配置される。そして、
配置領域８０１Ａ〜８０１Ｃには、ＣＰＵ１０３により任意に選択された通常写真画像６５０Ｅ、６５０Ａ及び６５０Ｄが予め配置されている。
　（７）　「【０２３２】 
　一方、
プレイヤが
選び直しボタン１０６０をタッチする。このとき、ＣＰＵ１０３は、プレイヤが通常写真画像６５０の選択し直しを受け付けたと判断し（Ｓ２００２でＹＥＳ）、リセット処理を実行する（Ｓ２０１２）。
　（８）　「【０２３３】 
　
リセット処理では、ＣＰＵ１０３は、配置領域８０１Ａ〜８０１Ｃに配置された通常写真画像６５０Ｅ、６５０Ａ及び６５０Ｄの配置を解除する。
　（９）　「【０２３８】 
　プレイヤが通常写真画像６５０Ｃを選択したとき、
ＣＰＵ１０３は、通常写真画像６５０Ｃの選択を受け付け（Ｓ２００５）、受け付けた通常写真画像６５０Ｃを配置領域８０１Ａに配置して表示する（Ｓ２００６）。
　（１０）　「【０２４４】 
　本例において、プレイヤは通常写真画像６５０Ｄを選択したとする。この場合、
ＣＰＵ１０２は、通常写真画像６５０Ｄの選択を受け付け（Ｓ２００５）、受け付けた通常写真画像６５０Ｄを配置領域８０１Ｂに表示する（Ｓ２００６）。
　（１１）　「【０２４７】 
　
ＣＰＵ１０３は、通常写真画像６５０Ｅの選択を受け付け（Ｓ２００５）、選択された通常写真画像６５０Ｅを配置領域８０１Ｃに配置する（Ｓ２００６）。
　（１２）　「【０２４８】 
　この場合、図５２に示すとおり、
選択画面内のコラージュ合成画像８１０の各配置領域８０１Ａ〜８０１Ｃには、通常写真画像６５０Ｃ〜６５０Ｅが配置され、コラージュ合成画像８１０のイメージは完成している。
　（１３）　「【０２５３】 
　以上のとおり、本実施の形態では、
各配置領域８０１Ａ〜８０１Ｃ用の通常写真画像６５０Ａ〜６５０Ｆを順次選択画面に表示し、プレイヤに選択させる。
　（１４）　「【０２５７】 
　
第２の実施の形態における通常写真画像配置変換処理（Ｓ２４２）以外の他の動作処理については、第１の実施の形態と同様である。
  
　２　先願発明１の認定 
　（１）　上記１（５）及び（１４）より、段落【０２２５】−【０２５３】に記載される［第２の実施の形態］においても、段落【００３６】−【０２２４】に記載される［第１の実施の形態］と同様に、「カメラ１０で被写体となるプレイヤを複数回撮影して通常写真画像６５０を生成」（段落【０１００】）するとともに、「コラージュ合成画像８１０が選択され」た場合「写真撮影遊戯機１は、非接触通信装置を介してプレイヤの携帯端末に、ステップＳ３４０７で選択された合成画像を送信する」（段落【０２０９】−【０２１０】）と認められる。
　（２）　したがって、先願明細書等には次の発明（以下、「先願発明１」という。）が記載されていると認められる。 
「カメラ１０で被写体となるプレイヤを複数回撮影して通常写真画像６５０を生成し、 
　コラージュ合成画像８１０の配置領域８０１Ａ〜８０１Ｃに、ＣＰＵ１０３により任意に選択された通常写真画像６５０Ｅ、６５０Ａ及び６５０Ｄを予め配置し、 
　プレイヤが選び直しボタン１０６０をタッチすると、ＣＰＵ１０３は、配置領域８０１Ａ〜８０１Ｃに配置された通常写真画像６５０Ｅ、６５０Ａ及び６５０Ｄの配置を解除し、各配置領域８０１Ａ〜８０１Ｃ用の通常写真画像６５０Ａ〜６５０Ｆを順次選択画面に表示し、プレイヤに選択させ、
　コラージュ合成画像８１０の各配置領域８０１Ａ〜８０１Ｃに、選択された通常写真画像６５０Ｃ〜６５０Ｅを配置して、コラージュ合成画像８１０のイメージを完成させ、
　プレイヤの携帯端末にコラージュ合成画像８１０を送信する 
　写真撮影遊戯機１」 
第６　先願発明１との対比・判断
　１　本願発明１と先願発明１とを対比する。 
　（１）　先願発明１の「カメラ１０で被写体となるプレイヤを複数回撮影して」「生成」される「通常写真画像６５０」は、本願発明１の「利用者を被写体として撮影して得られる複数の撮影画像」に相当する。
　（２）　先願発明１において「コラージュ合成画像８１０の配置領域８０１Ａ〜８０１Ｃに、ＣＰＵ１０３により任意に選択された通常写真画像６５０Ｅ、６５０Ａ及び６５０Ｄを予め配置」することは、「ＣＰＵ１０３」が「配置領域８０１Ａ〜８０１Ｃに」配置する「通常写真画像」を組み合わせることにほかならないから、先願発明１は、本願発明１の「利用者を被写体として撮影して得られる複数の撮影画像の中から撮影画像を組み合わせる組み合わせ部」に相当する構成を備えていると認められる。 
　（３）　先願発明１において「プレイヤが選び直しボタン１０６０をタッチすると、ＣＰＵ１０３は、配置領域８０１Ａ〜８０１Ｃに配置された通常写真画像６５０Ｅ、６５０Ａ及び６５０Ｄの配置を解除し、各配置領域８０１Ａ〜８０１Ｃ用の通常写真画像６５０Ａ〜６５０Ｆを順次選択画面に表示し、プレイヤに選択させ」ることは、「ＣＰＵ１０３により任意に選択された通常写真画像」を「プレイヤに選択させ」た「通常写真画像」に変更することを意味する。そして、「プレイヤが選び直しボタン１０６０をタッチ」して「選び直し」を行っている以上、「ＣＰＵ１０３により任意に選択された通常写真画像」とは異なる「通常写真画像」を「プレイヤ」が選択できることは明らかである。してみると、本願発明１と先願発明１とは、「前記組み合わせ部により組み合わされた撮影画像」「を、前記複数の撮影画像のうちの他の」「画像に変更して、撮影画像の組み合わせを変更する」という点で共通する。 
　（４）　先願発明１の「コラージュ合成画像８１０の各配置領域８０１Ａ〜８０１Ｃに、選択された通常写真画像６５０Ｃ〜６５０Ｅを配置して、コラージュ合成画像８１０のイメージを完成させ」は、本願発明１の「前記画像変更部により組み合わせが変更された撮影画像を用いて、組み合わせ画像を生成する」に相当し、先願発明１は、本願発明１の「画像生成部」に相当する構成を備えていると認められる。 
　（５）　先願発明１の「プレイヤの携帯端末にコラージュ合成画像８１０を送信する」は、本願発明１の「前記画像生成部により生成された組み合わせ画像を提供する」に相当し、先願発明１は、本願発明１の「画像提供部」に相当する構成を備えていると認められる。 
　（６）　先願発明１の「写真撮影遊戯機１」は、「コラージュ合成画像」に関する画像処理を行っていると認められるところ、本願発明１の「画像処理装置」に相当する。 
　２　以上のことから、本願発明１と先願発明１との一致点及び相違点は、次のとおりである。
　【一致点】
「利用者を被写体として撮影して得られる複数の撮影画像の中から撮影画像を組み合わせる組み合わせ部と、
　前記組み合わせ部により組み合わされた撮影画像を、前記複数の撮影画像のうちの他の画像に変更して、撮影画像の組み合わせを変更する画像変更部と、
　前記画像変更部により組み合わせが変更された撮影画像を用いて、組み合わせ画像を生成する画像生成部と、 
　前記画像生成部により生成された組み合わせ画像を提供する画像提供部と
　を備える画像処理装置。」 
　【相違点】
　「組み合わせ部により組み合わされた撮影画像を、前記複数の撮影画像のうちの他の画像に変更して、撮影画像の組み合わせを変更する」ことに関して、本願発明１では「撮影画像のうちの全身画像」を「複数の撮影画像のうちの他の全身画像」に変更しているのに対して、引用発明１では「撮影画像のうちの全身画像」を「複数の撮影画像のうちの他の全身画像」に変更していない点。
　３　上記相違点について検討する。
　画像処理装置の技術分野において、組み合わされた撮影画像のうちの全身画像を他の全身画像に変更することが、本件優先日の時点で周知技術又は慣用技術であったとはいえないから、上記相違点は課題解決のための具体化手段における微差であるとまではいえない。
　してみると、本願発明１と先願発明１とは実質同一であるとはいえない。
　４　本願発明２−５について
　（１）　本願発明２−４は、本願発明１を引用するものであって、上記相違点に係る本願発明１の発明特定事項を備えるものであるから、本願発明２−４と先願発明１とは実質同一であるとはいえない。
　（２）　本願発明５は、本願発明１とカテゴリーは異なるが実質的に同内容の発明であるから、本願発明５と先願明細書等に記載された発明とは実質同一であるとはいえない。
第７　特許法第１７条の２第３項に関する当審拒絶理由について
　１　特許法第１７条の２第３項（新規事項）について、当審では、下記の拒絶理由を通知した。
　（１）　平成２８年１０月３１日付け手続補正書でした補正は、請求項４の記載を「前記画像変更部は、前記組み合わせ部により組み合わされた撮影画像のうち、全身画像を、他の撮影画像のうちのアップ画像に変更して、撮影画像の組み合わせを変更する請求項２に記載の画像処理装置。」とするものである。
　しかしながら、願書に最初に添付した明細書の段落【０１８７】、【０１８８】および願書に最初に添付した図面の図１６−１８には、アップ画像を他のアップ画像に変更することおよび全身画像を他の全身画像に変更することは記載されていると認められるものの、願書に最初に添付した明細書、特許請求の範囲又は図面には全身画像をアップ画像に変更することは記載されておらず、平成２８年１０月３１日付け手続補正書でした補正は新たな技術的事項を導入するものである。
　（２）　したがって、平成２８年１０月３１日付け手続補正書でした補正は、特許法第１７条の２第３項に規定する要件を満たしていない。
　２　特許法第１７条の２第３項（新規事項）の拒絶理由についての判断
　本件補正前の請求項４に係る発明は、本件補正により削除された。
　したがって、上記１の拒絶理由は解消した。
第８　特許法第２９条第１項第３号（新規性）に関する当審拒絶理由について
　１　特許法第２９条第１項第３号（新規性）について、当審では、下記の拒絶理由を通知した。
　（１）　国内優先権の主張の効果について 
　平成２８年１０月３１日付け手続補正書の請求項３には「前記画像変更部は、前記組み合わせ部により組み合わされた撮影画像のうち、アップ画像を、他の撮影画像のうちのアップ画像に変更して、撮影画像の組み合わせを変更する」との発明特定事項が記載されている。 
　これに対して、国内優先権の主張の基礎とした出願（特願２０１２−１４０９７８号）の出願当初の明細書、特許請求の範囲または図面（以下、「優先基礎明細書等」という。）の段落【０１４８】、【０１６６】および図１６には、全身画像を他の撮影画像のうちの全身画像に変更することが記載されていると認められるものの、優先基礎明細書等にはアップ画像を他の撮影画像のうちのアップ画像に変更することが記載されておらず、平成２８年１０月３１日付け手続補正書の請求項３は優先基礎明細書等との関係において新たな技術的事項が導入されたものである。 
　したがって、平成２８年１０月３１日付け手続補正書でした補正による請求項３に係る発明について、国内優先権の主張の効果が認められない。 
　（２）　本願出願日（平成２５年３月１９日）前に頒布された刊行物である引用文献１の図４８−５２には、コラージュ合成画像において、アップ画像を他のアップ画像に変更することが看て取れるから、平成２８年１０月３１日付け手続補正書の請求項３の「前記画像変更部は、前記組み合わせ部により組み合わされた撮影画像のうち、アップ画像を、他の撮影画像のうちのアップ画像に変更して、撮影画像の組み合わせを変更する」との発明特定事項は引用文献１に記載されている。 
　（３）　したがって、平成２８年１０月３１日付け手続補正書でした補正による請求項３に係る発明は、引用文献１に記載されているから、特許法第２９条第１項第３号に該当し、特許を受けることができない。 
　２　特許法第２９条第１項第３号（新規性）の拒絶理由についての判断
　平成２８年１０月３１日付け手続補正書でした補正による請求項３に係る発明は、本件補正により削除された。
　したがって、上記１の拒絶理由は解消した。
第９　原査定についての判断
　１　引用文献Ａ
　（１）　原査定の理由に引用された引用文献Ａには次の記載がある（下線は当審で付した）。
　ア　「【０００４】
　写真撮影遊戯機で生成された合成画像を携帯電話機に代表される携帯端末の待ち受け画像に利用する場合、合成画像に基づいて、携帯端末の表示画面に応じた形状の新たな合成画像（以下、二次的合成画像という）を編集できる方が好ましい。このような
二次的合成画像の編集作業を全てのプレイヤがサーバ上で自由に行えば、サーバ負荷が増大する。
　イ　「【０００５】
　また、
プレイヤが二次的合成画像の編集作業を写真撮影遊戯機で自由に行えば、編集作業に時間が掛かってしまい、プレイ時間に影響を与える。
　ウ　「【０００９】
　
本発明の他の目的は、写真撮影遊戯機でのプレイ時間及びサーバ負荷への影響を抑えつつ、二次的合成画像を提供できる写真撮影遊戯システムを提供することである。
　エ　「【００３５】
　［機能構成］
　図３を参照して、
写真撮影遊戯機１は、撮影処理を実行する撮影用コンピュータ装置１０１ａと、画像編集処理を実行する画像編集用コンピュータ装置１０１ｂと、動作中のコンピュータ装置１０１ａ，１０１ｂからの指示を受け付けて、接続されている各種装置を制御する制御基板１０２と、クロマキーキャプチャボード１７とを備える。
　オ　「【００３６】
　
コンピュータ装置１０１ａ，１０１ｂは、ＣＰＵ(Central Processing Unit)１０３ａ，１０３ｂと
を含む。
　カ　「【００４４】
　［写真撮影遊戯システム］
　図４を参照して、本実施の形態による
写真撮影遊戯システムは、上述の写真撮影遊戯機１と、サーバ２００とを備える。写真撮影遊戯機１とサーバ２００とはインターネットに代表されるネットワーク２５０を介して接続される。
　キ　「【００５８】
　［撮影処理］
　まず、
撮影ブース２での写真撮影遊戯機１の動作を説明する。撮影用コンピュータ装置１０１ａのＣＰＵ１０３ａ
　ク　「【００５９】
　
ＣＰＵ１０３ａは、カメラ１０で被写体となるプレイヤを複数回撮影する。
　ケ　「【００７０】
　６回目の撮影動作を終了した後、ＣＰＵ１０３ａは最大枚数である６枚撮影したと判断する（Ｓ９でＹＥＳ）。このとき、ＣＰＵ１０３ａは撮影の残り時間を確認する（Ｓ１０）。残り時間が所定時間（たとえば６０秒）未満である場合（Ｓ１０でＮＯ）、
生成されたプレビュー画像のうち、落書きを行う画像の選択を受け付ける（Ｓ１２）。
選択された画像は画像編集用コンピュータ装置１０１ｂのメモリ１０５ｂに送信される。
　コ　「【００７３】
　図１５を参照して、
ＣＰＵ１０３ｂは、編集用ディスプレイ４０に、画面をタッチして編集処理を開始するよう促す移動待ち画像を表示する（Ｓ２１）。そして、プレイヤがタッチペン４２で編集用ディスプレイ４０をタッチしたとき、編集残り時間のカウントダウンを開始する（Ｓ２２）。
　サ　「【００７４】
　続いて、ＣＰＵ１０３ｂは、図１６に示すように、シール紙に印刷する合成画像の分割レイアウトパターンの選択画面を表示する（Ｓ２３）。そして、分割レイアウトパターンの選択を受け付ける。プレイヤは、所望の分割レイアウトパターンの選択ボタン７５１を選択する。選択されたボタン７５１はフレームカーソル７５３で囲まれて表示される。プレイヤは選択ボタン７５１を選択した後、決定ボタン７５２をタッチする。このとき、ＣＰＵ１０３ｂは、選択された選択ボタン７５１に表示された分割レイアウトパターン固有のＩＤ（以下、レイアウトＩＤという）をメモリ１０５ｂに格納する（Ｓ２４）
　続いて、
ＣＰＵ１０３ｂは、図１７に示す編集画面を編集用ディスプレイ４０に表示する（Ｓ２５）。編集画面には、左右に２つの編集領域６０Ｌ及び６０Ｒが表示され、二人の利用者がそれぞれの領域６０（６０Ｌ及び６０Ｒ）で画像を編集できるようになっている。
　シ　「【００７９】
　
落書き時間が制限時間に達したとき（Ｓ２７でＹＥＳ）、または、おしまいボタン６８へのタッチを検知したとき（Ｓ２８でＹＥＳ）、ＣＰＵ１０３ｂは、写真画像及び入力された編集画像をメモリ１０５ｂ又はＨＤＤ１０４ｂに保存し（Ｓ２９）、編集処理を終了する。
　ス　「【００８２】
　図１８を参照して、
ＣＰＵ１０３ｂは初めに、写真画像と、編集処理により入力された編集画像とを合成して複数の合成画像ＣＩ１〜ＣＩ５を生成する（Ｓ５１）。
　セ　「【００８５】
　
ＣＰＵ１０３ｂは、合成画像の種類及び枚数に基づいて、二次的合成画像データベースから採用可能な１つのレイアウトを自動的に選択する。そして、選択されたレイアウトの各区分ＡＲ１〜ＡＲ５に、合成画像ＣＩ１〜ＣＩ５を自動的に配置して、二次的合成画像５００を作成する。
　ソ　「【００８６】
　続いて、
ＣＰＵ１０３ｂは、作成された二次的合成画像５００をサーバ２００に送信する（Ｓ５７）。
　タ　「【００８８】
　［サーバ及び携帯端末での処理］
　サーバ２００は、
プレイヤの携帯端末３００から二次的合成画像５００の閲覧要求を受けたとき、二次的合成画像５００のサンプル画像を含む閲覧画面を携帯端末３００に送信する。
二次的合成画像５００のデザインにプレイヤが満足できない場合、プレイヤは、自身の編集操作により新たな二次的合成画像５１０を作成する。
　チ　「【００９５】
　
サーバ２００はまず、図２３に示す作成画面を携帯端末３００に送信する。図２３に示すように、作成画面には、作成される二次的合成画像５１０のレイアウトにおける区分数が４つの場合と、６つの場合とが表示されている。
　ツ　「【００９６】
　ここで、プレイヤが６区分を選択したと仮定して説明を続ける。このときプレイヤは２つの選択ボタン４１０（４区分選択ボタン）、４１１（６区分選択ボタン）のうち、６区分選択ボタン４１１を選択する。この
プレイヤ操作に応じて、携帯端末３００は６区分を選択する旨の区分数指示をサーバ２００に送信する。サーバ２００は区分数指示を受け付ける（Ｓ７１）。
プレイヤは所望の区分を指定する。具体的には、携帯端末３００の入力部を用いて所望の区分の番号を入力し、決定キーを押すか、枠状のカーソル４１４を所望の区分に移動させ、決定キーを押す。
　テ　「【００９８】
　続いて、
サーバ２００は、区分ＡＲ１に配置する合成画像の指定を受け付ける（Ｓ７３）。
　ト　「【００９９】
　
プレイヤ操作により合成画像ＣＩ１が選択されたとき、携帯端末３００は合成画像ＣＩ１の指定コマンドをサーバ２００に送信する。このようにして、サーバ２００は合成画像ＣＩ１の指定を受け付ける（Ｓ７３）。
　ナ　「【０１１２】
　図３３に示す区分画面が送信された後（Ｓ８０）、その区分画面の各区分に配置された画像を見たプレイヤが、その配置レイアウト（デザイン）に満足したとき、プレイヤは、終了ボタン「これでＯＫ！」４１２を選択する。このとき、携帯端末３００は終了コマンドをサーバ２００に送信する。サーバ２００は終了コマンドを受け（Ｓ８１でＹＥＳ）、二次的合成画像５１０を作成する（Ｓ８２）。具体的には、図３３に示すとおりに
各区分ＡＲ１〜ＡＲ１に合成画像ＣＩ１〜ＣＩ５を配置し合成して、二次的合成画像５１０を生成する。
サーバ２００は生成した二次的合成画像５１０を含む表示画面を携帯端末３００に送信する
　（２）　以上より、引用文献Ａには次の発明（以下、「引用発明Ａ」という。）が記載されていると認められる。
「ネットワークを介して接続される写真撮影遊戯機とサーバとを備える写真撮影遊戯システムであって、
　前記写真撮影遊戯機の撮影用コンピュータ装置のＣＰＵ１０３ａは、
　カメラで被写体となるプレイヤを複数回撮影し、
　生成されたプレビュー画像のうち、落書きを行う画像の選択を受け付け、
　選択された画像を画像編集用コンピュータ装置のメモリに送信し、
　前記写真撮影遊戯機の画像編集用コンピュータ装置のＣＰＵ１０３ｂは、
　画面をタッチして編集処理を開始するよう促す移動待ち画像を表示し、プレイヤがタッチペンで編集用ディスプレイをタッチしたとき、編集残り時間のカウントダウンを開始し、
　編集画面を編集用ディスプレイに表示し、二人の利用者がそれぞれの領域で画像を編集できるようになり、
　落書き時間が制限時間に達したとき、または、おしまいボタンへのタッチを検知したとき、写真画像及び入力された編集画像をメモリ又はＨＤＤに保存し、編集処理を終了し、
　写真画像と、前記編集処理により入力された編集画像とを合成して複数の合成画像ＣＩ１〜ＣＩ５を生成し、
　前記合成画像の種類及び枚数に基づいて、二次的合成画像データベースから採用可能な１つのレイアウトを自動的に選択して、前記選択されたレイアウトの各区分に、前記合成画像ＣＩ１〜ＣＩ５を自動的に配置して、二次的合成画像を作成し、
　前記作成された二次的合成画像を前記サーバに送信し、
　前記サーバは、
　前記プレイヤの携帯端末から前記二次的合成画像の閲覧要求を受けたとき、前記二次的合成画像のサンプル画像を含む閲覧画面を前記携帯端末に送信し、
　前記二次的合成画像のデザインに前記プレイヤが満足できない場合、作成される二次的合成画像のレイアウトにおける区分数が４つの場合と、６つの場合とが表示されている作成画面を前記携帯端末に送信し、
　前記プレイヤの操作に応じて選択され、前記携帯端末から送信される区分数の指示を受け付け、
　前記プレイヤの操作により選択され、前記携帯端末から送信される、前記区分数の各区分に配置する前記合成画像ＣＩ１〜ＣＩ５の指定を受け付け、
　前記区分数の各区分に前記合成画像ＣＩ１〜ＣＩ５を配置し合成して二次的合成画像を生成し、
　前記生成した二次的合成画像を含む表示画面を前記携帯端末に送信する
写真撮影遊戯システム。」
　２　引用発明Ａとの対比・判断
　（１）　本願発明１と引用発明Ａとを対比する。
　ア　引用発明Ａにおいては、「カメラで被写体となるプレイヤを複数回撮影し」ているから、本願発明１と同様に「複数の撮影画像」が得られていることは明らかである。
　イ　引用発明Ａにおいては、「カメラで被写体となるプレイヤを複数回撮影し」て得られた「画像」から「選択された画像」と「編集画像」とを「合成」して「生成」された「複数の合成画像ＣＩ１〜ＣＩ５」を「自動的に配置して、二次的合成画像を作成し」ているから、本願発明１と引用発明Ａとは「利用者を被写体として撮影して得られる複数の撮影画像の中から撮影画像を組み合わせる」という点で共通する。
　ウ　引用発明Ａにおいては、「前記携帯端末から送信される、前記区分数の各区分に配置する前記合成画像ＣＩ１〜ＣＩ５の指定を受け付け、前記区分数の各区分に前記合成画像ＣＩ１〜ＣＩ５を配置し合成して二次的合成画像を生成し」ているから、本願発明１と引用発明Ａとは「組み合わせが変更された撮影画像を用いて、組み合わせ画像を生成」している点で共通する。
　エ　引用発明Ａの「前記生成した二次的合成画像を含む表示画面を前記携帯端末に送信する」は、本願発明１の「生成された組み合わせ画像を提供する」に相当する。
　オ　引用発明Ａの「写真撮影遊戯機」は、本願発明１の「画像処理装置」に相当する。
　カ　本願発明１の「画像処理装置」は一つの装置であるが、「写真撮影システム」の一形態であるといえるところ、本願発明１と引用発明Ａとは「写真撮影システム」であるという点で共通する。
　カ　以上より、本願発明１と引用発明Ａとの一致点及び相違点は次のとおりである。
　【一致点】
「利用者を被写体として撮影して得られる複数の撮影画像の中から撮影画像を組み合わせる組み合わせ部と、
　前記組み合わせ部により組み合わされた撮影画像の組み合わせを変更する画像変更部と、
　前記画像変更部により組み合わせが変更された撮影画像を用いて、組み合わせ画像を生成する画像生成部と、
　前記画像生成部により生成された組み合わせ画像を提供する画像提供部と
　を備える写真撮影システム。」
　【相違点１】
　「撮影画像の組み合わせ」の「変更」について、本願発明１では「組み合わせ部により組み合わされた撮影画像のうちの全身画像を、前記複数の撮影画像のうちの他の全身画像に変更して」いるのに対して、引用発明Ａでは「区分数の各区分に配置する前記合成画像ＣＩ１〜ＣＩ５の指定を受け付け、前記区分数の各区分に前記合成画像ＣＩ１〜ＣＩ５を配置し」ている点。
　【相違点２】
　本願発明１は、一つの装置である「画像処理装置」であって、「組み合わせ部」、「画像変更部」、「画像生成部」及び「画像提供部」はいずれも「画像処理装置」に備えられているのに対して、引用発明Ａは、「ネットワークを介して接続される写真撮影遊戯機とサーバとを備える写真撮影遊戯システム」であって、「組み合わせ部」は「写真撮影遊戯機」に備えられ、「画像変更部」、「画像生成部」及び「画像提供部」は「サーバ」に備えられている点。
　（２）ア　上記相違点１について検討する。
　（ア）　上記１（１）ア−ウより、引用発明Ａの課題は「写真撮影遊戯機でのプレイ時間及びサーバ負荷への影響を抑えつつ、二次的合成画像を提供できる写真撮影遊戯システムを提供することである」と認められる。
　そして、仮に、引用発明Ａの「写真撮影遊戯機」に、引用文献Ｂに記載されている「選択された画像」を他の画像へ変更することを受け付ける技術を適用すれば、「写真撮影遊戯機でのプレイ時間」の増大を招くことは明らかであるから、前記引用発明Ａの課題を踏まえると、そのような構成を採用することには阻害要因があるといえる。
　また、引用発明Ａの「サーバ」は、「選択された画像」以外の画像を受信しておらず、「選択された画像」を変更する他の画像を備えていないから、引用文献Ｂに記載されている「選択された画像」を他の画像へ変更することを受け付ける技術を適用することはできない。
　してみると、引用発明Ａにおいて、「選択された画像」の他の撮影画像への変更を行う構成を採用することは、当業者が容易に想到し得たことであるとはいえない。
　（イ）　よって、上記相違点１に係る本願発明１の発明特定事項は、当業者であっても容易に想到し得たことであるとはいえない。
　（ウ）　なお、仮に、引用発明Ａにおいて、「選択された画像」の他の撮影画像への変更を行う構成を採用することができたとしても、原査定の理由に引用された引用文献Ｂ及びＣには「全身画像」を「他の全身画像」に変更する点が記載されておらず、この点は当業者が容易に想到し得たことであるとはいえない。
　イ　上記相違点２について検討する。
　（ア）　仮に、引用発明Ａにおいて、「サーバ」に換えて「写真撮影遊戯機」が、「画像変更部」、「画像生成部」及び「画像提供部」を備えるようにすれば、「写真撮影遊戯機でのプレイ時間」の増大は避けられず、上記引用発明Ａの課題を踏まえると、そのようにすることには阻害要因があるといえる。
　（イ）　よって、上記相違点２に係る本願発明１の発明特定事項は、当業者であっても容易に想到し得たことであるとはいえない。
　ウ　したがって、本願発明１は、当業者であっても、引用発明Ａ、並びに、引用文献Ｂに記載された技術及び引用文献Ｃに記載された技術に基づいて容易に発明をすることができたものであるとはいえない。
　（３）　本願発明２−５について
　ア　本願発明２−４は、本願発明１を引用するものであって、上記相違点１及び２に係る本願発明１の発明特定事項を備えるものであるから、当業者であっても、引用発明Ａ、並びに、引用文献Ｂに記載された技術及び引用文献Ｃに記載された技術に基づいて容易に発明をすることができたものであるとはいえない。
　イ　本願発明５は、本願発明１とカテゴリーは異なるが実質的に同内容の発明であって、引用文献Ａに記載された発明、並びに、引用文献Ｂに記載された技術及び引用文献Ｃに記載された技術に基づいて容易に発明をすることができたものであるとはいえない。
第１０　むすび
　以上のとおり、原査定の理由及び当審拒絶理由によっては、本願を拒絶することはできない。
　また、他に本願を拒絶すべき理由を発見しない。
　よって、結論のとおり審決する。